【手続補正書】
【提出日】平成28年3月24日(2016.3.24)
【手続補正１】
【補正対象書類名】特許請求の範囲
【補正対象項目名】全文
【補正方法】変更
【補正の内容】
【特許請求の範囲】
【請求項１】
映像シーケンスのピクチャの符号化表現を復号化するため使用される参照ピクチャを管理するデコーダによって実行される方法であって、前記方法は、
エンコーダから受信された、復号化ピクチャバッファ内で保持される前記参照ピクチャの情報を備える参照ピクチャセットを復号化することと、
前記参照ピクチャセットの中で指示されたピクチャ順序カウント（ＰＯＣ）値を復号化することと、
前記参照ピクチャセットの中で指示された前記ＰＯＣ値が短期参照ピクチャまたは長期参照ピクチャに対応するか否かを決定することと、を含み、
前記参照ピクチャセットの中で指示された前記ＰＯＣ値が長期参照ピクチャに対応する場合で：
前記参照ピクチャセットの中で指示された前記ＰＯＣ値に対応するＰＯＣ値を持つ長期参照ピクチャが前記復号化ピクチャバッファ内に存在するときには、前記長期参照ピクチャを長期参照ピクチャとして前記復号化ピクチャバッファ内で保持することと、
前記参照ピクチャセットの中で指示された前記ＰＯＣ値に対応するＰＯＣ値を持つ短期参照ピクチャが前記復号化ピクチャバッファ内に存在し、前記参照ピクチャセットの中で指示された前記ＰＯＣ値に対応するＰＯＣ値を持つ長期参照ピクチャが前記復号化ピクチャバッファ内に存在しないときには、前記短期参照ピクチャを長期参照ピクチャとして前記復号化ピクチャバッファ内でマーク付けし、それを前記復号化ピクチャバッファ内で保持することと、を含み、
前記参照ピクチャセットの中で指示された前記ＰＯＣ値が短期参照ピクチャに対応する場合で：
前記参照ピクチャセットの中で指示された前記ＰＯＣ値に対応するＰＯＣ値を持つ短期参照ピクチャが前記復号化ピクチャバッファ内に存在するときには、前記短期参照ピクチャを短期参照ピクチャとして前記復号化ピクチャバッファ内で保持することと、を含む方法。
【請求項２】
前記参照ピクチャセットの中で指示された前記ＰＯＣ値が短期参照ピクチャまたは長期参照ピクチャに対応するか否かを決定することは、前記参照ピクチャセットの中で指示された前記ＰＯＣ値が
ＰｏｃＬｔＣｕｒｒもしくはＰｏｃＬｔＦｏｌｌ（この場合前記ＰＯＣ値は長期参照ピクチャに対応する）、および
ＰｏｃＳｔＣｕｒｒＢｅｆｏｒｅ、ＰｏｃＳｔＣｕｒｒＡｆｔｅｒもしくはＰｏｃＳｔＦｏｌｌ（この場合、前記ＰＯＣ値は短期参照ピクチャに対応する）
のリストのうちの１つに含まれているか否かを決定することを含む、請求項１に記載の方法。
【請求項３】
前記参照ピクチャセットの中の前記長期参照ピクチャを前記短期参照ピクチャより前に取り扱うことによって、前記参照ピクチャを前記復号化ピクチャバッファ内でマーク付けすることをさらに含む、請求項１に記載の方法。
【請求項４】
映像シーケンスのピクチャの符号化表現を復号化するため使用される参照ピクチャを管理するための非一時的なコンピュータ読み取り可能な媒体に格納されたコンピュータプログラム製品であって、前記コンピュータプログラム製品は、デコーダのプロセッサで実行されると、前記プロセッサに、
エンコーダから受信された、復号化ピクチャバッファ内で保持される前記参照ピクチャの情報を備える参照ピクチャセットを復号化させ、
前記参照ピクチャセットの中で指示されたピクチャ順序カウント（ＰＯＣ）値を復号化させ、
前記参照ピクチャセットの中で指示された前記ＰＯＣ値が短期参照ピクチャまたは長期参照ピクチャに対応するか否かを決定させ、
前記参照ピクチャセットの中で指示された前記ＰＯＣ値が長期参照ピクチャに対応する場合で：
前記参照ピクチャセットの中で指示された前記ＰＯＣ値に対応するＰＯＣ値を持つ長期参照ピクチャが前記復号化ピクチャバッファ内に存在するときには、前記長期参照ピクチャを長期参照ピクチャとして前記復号化ピクチャバッファ内で保持させ、
前記参照ピクチャセットの中で指示された前記ＰＯＣ値に対応するＰＯＣ値を持つ短期参照ピクチャが前記復号化ピクチャバッファ内に存在し、前記参照ピクチャセットの中で指示された前記ＰＯＣ値に対応するＰＯＣ値を持つ長期参照ピクチャが前記復号化ピクチャバッファ内に存在しないときには、前記短期参照ピクチャを長期参照ピクチャとして前記復号化ピクチャバッファ内でマーク付けし、それを前記復号化ピクチャバッファ内で保持させ、
前記参照ピクチャセットの中で指示された前記ＰＯＣ値が短期参照ピクチャに対応する場合で：
前記参照ピクチャセットの中で指示された前記ＰＯＣ値に対応するＰＯＣ値を持つ短期参照ピクチャが前記復号化ピクチャバッファ内に存在するときには、前記短期参照ピクチャを短期参照ピクチャとして前記復号化ピクチャバッファ内で保持させる
ソフトウェア命令を備える、コンピュータプログラム製品。
【請求項５】
映像シーケンスのピクチャの符号化表現を復号化するため使用される参照ピクチャを管理するデコーダであって、前記デコーダは、エンコーダから受信された参照ピクチャセットを復号化するように構成されており、前記参照ピクチャセットは、復号化ピクチャバッファ内で保持され前記参照ピクチャセットの中で指示されたピクチャ順序カウント（ＰＯＣ）値を復号化する前記参照ピクチャの情報を備え、前記デコーダは、
前記参照ピクチャセットの中で指示された前記ＰＯＣ値が短期参照ピクチャまたは長期参照ピクチャに対応するか否かを決定し、
前記参照ピクチャセットの中で指示された前記ＰＯＣ値に対応するＰＯＣ値を有する長期参照ピクチャが前記復号化ピクチャバッファ内に存在し、前記参照ピクチャセットの中で指示された前記ＰＯＣ値が長期参照ピクチャに対応するときには、前記長期参照ピクチャを長期参照ピクチャとして前記復号化ピクチャバッファ内で保持し、
前記参照ピクチャセットの中で指示された前記ＰＯＣ値に対応するＰＯＣ値を有する短期参照ピクチャが前記復号化ピクチャバッファ内に存在し、前記参照ピクチャセットの中で指示された前記ＰＯＣ値が長期参照ピクチャに対応し、前記参照ピクチャセットの中で指示された前記ＰＯＣ値に対応するＰＯＣ値を有する長期参照ピクチャが前記復号化ピクチャバッファ内に存在しないときには、前記短期参照ピクチャを長期参照ピクチャとして前記復号化ピクチャバッファ内でマーク付けし、それを前記復号化ピクチャバッファ内で保持し、
前記参照ピクチャセットの中で指示された前記ＰＯＣ値に対応するＰＯＣ値を持つ短期参照ピクチャが前記復号化ピクチャバッファ内に存在し、前記参照ピクチャの中で指示された前記ＰＯＣ値が短期参照ピクチャに対応するときには、前記短期参照ピクチャを短期参照ピクチャとして前記復号化ピクチャバッファ内で保持する
ように構成されたプロセッサを備えている、デコーダ。
【請求項６】
前記プロセッサは、前記参照ピクチャセットの中で指示された前記ＰＯＣ値が
ＰｏｃＬｔＣｕｒｒもしくはＰｏｃＬｔＦｏｌｌ（この場合、前記ＰＯＣ値は長期参照ピクチャに対応する）、および
ＰｏｃＳｔＣｕｒｒＢｅｆｏｒｅ、ＰｏｃＳｔＣｕｒｒＡｆｔｅｒもしくはＰｏｃＳｔＦｏｌｌ（この場合、前記ＰＯＣ値は短期参照ピクチャに対応する）
のリストのうちの１つに含まれているか否かを決定することにより、前記参照ピクチャセットの中で指示された前記ＰＯＣ値が短期参照ピクチャに対応するか、長期参照ピクチャに対応するかを決定するように構成されている、請求項５に記載のデコーダ。
【請求項７】
前記プロセッサは、前記参照ピクチャセットの中の前記長期参照ピクチャを前記短期参照ピクチャより前に取り扱うことによって、前記参照ピクチャを前記復号化ピクチャバッファ内でマーク付けするように構成されている、請求項５に記載のデコーダ。
【請求項８】
映像シーケンスのピクチャの符号化表現を符号化するため使用される参照ピクチャを管理するエンコーダによって実行される方法であって、前記方法は、
ピクチャ順序カウント（ＰＯＣ）値を割り当てることと、前記割り当てられたＰＯＣ値をデコーダに送信される参照ピクチャセットに組み込むことを含み、ここで前記ＰＯＣ値は、デコーダが以下のステップ：
エンコーダから受信された、前記デコーダの復号化ピクチャバッファ内で保持される前記参照ピクチャの情報を備える参照ピクチャセットを復号化し、
前記参照ピクチャセットの中で指示されたＰＯＣ値を復号化し、
前記参照ピクチャセットの中で指示された前記ＰＯＣ値が短期参照ピクチャまたは長期参照ピクチャに対応するか否かを決定し、
前記参照ピクチャセットの中で指示された前記ＰＯＣ値が長期参照ピクチャに対応する場合で：
前記参照ピクチャセットの中で指示された前記ＰＯＣ値に対応するＰＯＣ値を持つ長期参照ピクチャが前記復号化ピクチャバッファ内に存在するときには、前記長期参照ピクチャを長期参照ピクチャとして前記復号化ピクチャバッファ内で保持し、
前記参照ピクチャセットの中で指示された前記ＰＯＣ値に対応するＰＯＣ値を持つ短期参照ピクチャが前記復号化ピクチャバッファ内に存在し、前記参照ピクチャセットの中で指示された前記ＰＯＣ値に対応するＰＯＣ値を持つ長期参照ピクチャが前記復号化ピクチャバッファ内に存在しないときには、前記短期参照ピクチャを長期参照ピクチャとして前記復号化ピクチャバッファ内でマーク付けし、それを前記復号化ピクチャバッファ内で保持し、
前記参照ピクチャセットの中で指示された前記ＰＯＣ値が短期参照ピクチャに対応する場合で：
前記参照ピクチャセットの中で指示された前記ＰＯＣ値に対応するＰＯＣ値を持つ短期参照ピクチャが前記復号化ピクチャバッファ内に存在するときには、前記短期参照ピクチャを短期参照ピクチャとして前記復号化ピクチャバッファ内で保持する
ことができるように選択される、方法。
【請求項９】
映像シーケンスのピクチャの符号化表現を符号化するため使用される参照ピクチャを管理するエンコーダであって、前記エンコーダは、ピクチャ順序カウント（ＰＯＣ）値を割り当て、前記割り当てられたＰＯＣ値をデコーダに送信される参照ピクチャセットに組み込むプロセッサを備え、ここで前記ＰＯＣ値は、デコーダが以下のステップ：
エンコーダから受信された、前記デコーダの復号化ピクチャバッファ内で保持される前記参照ピクチャの情報を備える参照ピクチャセットを復号化し、
前記参照ピクチャセットの中で指示されたＰＯＣ値を復号化し、
前記参照ピクチャセットの中で指示された前記ＰＯＣ値が短期参照ピクチャまたは長期参照ピクチャに対応するか否かを決定し、
前記参照ピクチャセットの中で指示された前記ＰＯＣ値が長期参照ピクチャに対応する場合で：
前記参照ピクチャセットの中で指示された前記ＰＯＣ値に対応するＰＯＣ値を持つ長期参照ピクチャが前記復号化ピクチャバッファ内に存在するときには、前記長期参照ピクチャを長期参照ピクチャとして前記復号化ピクチャバッファ内で保持し、
前記参照ピクチャセットの中で指示された前記ＰＯＣ値に対応するＰＯＣ値を持つ短期参照ピクチャが前記復号化ピクチャバッファ内に存在し、前記参照ピクチャセットの中で指示された前記ＰＯＣ値に対応するＰＯＣ値を持つ長期参照ピクチャが前記復号化ピクチャバッファ内に存在しないときには、前記短期参照ピクチャを長期参照ピクチャとして前記復号化ピクチャバッファ内でマーク付けし、それを前記復号化ピクチャバッファ内で保持し、
前記参照ピクチャセットの中で指示された前記ＰＯＣ値が短期参照ピクチャに対応する場合で：
前記参照ピクチャセットの中で指示された前記ＰＯＣ値に対応するＰＯＣ値を持つ短期参照ピクチャが前記復号化ピクチャバッファ内に存在するときには、前記短期参照ピクチャを短期参照ピクチャとして前記復号化ピクチャバッファ内で保持する
ことができるように選択される、エンコーダ。